(57)【要約】【課題】画面のラインをピクセル単位で交互に保存するビデオデコーディング装置、ビデオデコーディング方法及び基準画面の保存方法を提供する。【解決手段】画面のＭ（Ｍは、自然数）本のラインをＮ（Ｎは、Ｍより小さい自然数）本のインターリーブラインに保存するメモリと、インターリーブラインを受信して画面をデコーディングするデコーダと、を備え、それぞれのインターリーブラインには、Ｍ本のラインのうち一部ラインのピクセルデータが交互に保存されるビデオデコーディング装置である。これにより、画面をデコーディングする速度を向上させうる。また、デコーディング過程でレイテンシを減らせ、バンド幅を狭める。【選択図】図３
2007189687.tif 000002
【特許請求の範囲】
【請求項１】
画面のＭ（Ｍは、自然数）本のラインをＮ（Ｎは、Ｍより小さい自然数）本のインターリーブラインに保存するメモリと、
前記インターリーブラインを受信して前記画面をデコーディングするデコーダと、を備え、
前記それぞれのインターリーブラインには、
前記Ｍ本のラインのうち一部ラインのピクセルデータが交互に保存されることを特徴とするビデオデコーディング装置。
【請求項２】
前記それぞれのインターリーブラインには、
前記一部ラインのピクセルデータがピクセル単位で交互に保存されることを特徴とする請求項１に記載のビデオデコーディング装置。
【請求項３】
前記メモリは、
１本のインターリーブラインを一つのバンクに保存することを特徴とする請求項２に記載のビデオデコーディング装置。
【請求項４】
前記メモリは、２本のラインを１本のインターリーブラインに保存し、
前記１本のインターリーブラインには、前記２本のラインのピクセルデータが交互に保存されることを特徴とする請求項１に記載のビデオデコーディング装置。
【請求項５】
前記１本のインターリーブラインには、
前記２本のラインのピクセルデータがピクセル単位で交互に保存されることを特徴とする請求項４に記載のビデオデコーディング装置。
【請求項６】
前記画面は、
基準画面であることを特徴とする請求項１ないし５のうち何れか１項に記載のビデオデコーディング装置。
【請求項７】
前記メモリは、
ＤＲＡＭであることを特徴とする請求項１に記載のビデオデコーディング装置。
【請求項８】
メモリを含むビデオデコーディングシステムで画面をデコーディングするビデオデコーディング方法において、
前記画面のＭ（Ｍは、自然数）本のラインをＮ（Ｎは、Ｍより小さい自然数）本のインターリーブラインに保存するステップと、
前記インターリーブラインを受信して前記画面をデコーディングするステップと、を含み、
前記それぞれのインターリーブラインには、
前記Ｍ本のラインのうち一部ラインのピクセルデータが交互に保存されることを特徴とするビデオデコーディング方法。
【請求項９】
前記それぞれのインターリーブラインには、
前記一部ラインのピクセルデータがピクセル単位で交互に保存されることを特徴とする請求項８に記載のビデオデコーディング方法。
【請求項１０】
前記インターリーブラインに保存するステップは、
１本のインターリーブラインを前記メモリの一つのバンクに保存することを特徴とする請求項９に記載のビデオデコーディング方法。
【請求項１１】
前記インターリーブラインに保存するステップは、
前記画面の２本のラインを１本のインターリーブラインに保存し、
前記１本のインターリーブラインには、前記２本のラインのピクセルデータが交互に保存されることを特徴とする請求項８に記載のビデオデコーディング方法。
【請求項１２】
前記１本のインターリーブラインには、
前記２本のラインのピクセルデータがピクセル単位で交互に保存されることを特徴とする請求項１１に記載のビデオデコーディング方法。
【請求項１３】
前記画面は、
基準画面であることを特徴とする請求項８ないし１２のうち何れか１項に記載のビデオデコーディング方法。
【請求項１４】
基準画面のＭ（Ｍは、自然数）本のラインをＮ（Ｎは、Ｍより小さい自然数）本のグループに区分するステップと、
前記Ｎ個のグループに属するラインをＮ本のインターリーブラインに保存するステップと、を含み、
前記それぞれのインターリーブラインには、
前記Ｍ本のラインのうち一部ラインのピクセルデータが交互に保存されることを特徴とする基準画面の保存方法。
【請求項１５】
前記それぞれのインターリーブラインには、
前記一部ラインのピクセルデータがピクセル単位で交互に保存されることを特徴とする請求項１４に記載の基準画面の保存方法。
【請求項１６】
前記インターリーブラインに保存するステップは、
１本のインターリーブラインを前記メモリの一つのバンクに保存することを特徴とする請求項１４に記載の基準画面の保存方法。
【請求項１７】
前記インターリーブラインに保存するステップは、
前記基準画面の２本のラインを１本のインターリーブラインに保存し、
前記１本のインターリーブラインには、前記２本のラインのピクセルデータが交互に保存されることを特徴とする請求項１４に記載の基準画面の保存方法。
【請求項１８】
前記１本のインターリーブラインには、
前記２本のラインのピクセルデータがピクセル単位で交互に保存されることを特徴とする請求項１７に記載の基準画面の保存方法。
【発明の詳細な説明】
【技術分野】
【０００１】
本発明は、ビデオデコーディング装置に係り、特に、画面のラインをピクセル単位で交互に保存するビデオデコーディング装置、ビデオデコーディング方法及び基準画面の保存方法に関する。
【背景技術】
【０００２】
一般的なビデオ装置がビデオストリームデータをディスプレイする場合、基準画面を利用した動き補償方法を利用する。すなわち、一般的なビデオ装置は、基準画面をメモリに保存する。そして、保存された基準画面を要求されるサイズを有するブロックの形態で読み出してデコーディングし、動き補償を行う。
【０００３】
一般的なビデオ装置は、基準画面をメモリに保存する時、基準画面のライン単位でメモリに保存する。したがって、一般的なビデオ装置は、基準画面をデコーディングするために、基準画面をライン単位で読み出す必要がある。この場合、読み出す必要のあるライン数が増加すれば、デコーディング過程でのバンド幅が大きく増大するという問題がある。
【０００４】
特に、ビデオデコーディング過程でバンド幅の大部分を占めるステップは、メモリから基準画面を読み出すステップである。したがって、デコーディング過程のバンド幅を減らすためには、読み出す必要のあるライン数を減らすことである。
【発明の開示】
【発明が解決しようとする課題】
【０００５】
本発明が解決しようとする技術的課題は、画面のラインをピクセル単位で交互に保存するビデオデコーディング装置及びビデオデコーディング方法を提供することである。
【０００６】
本発明が解決しようとする他の技術的課題は、基準画面のラインをピクセル単位で交互に保存する基準画面の保存方法を提供することである。
【課題を解決するための手段】
【０００７】
前記課題を達成するための本発明によるビデオデコーディング装置は、メモリ及びデコーダを備える。メモリは、画面のＭ（Ｍは、自然数）本のラインをＮ（Ｎは、Ｍより小さい自然数）本のインターリーブラインに保存する。それぞれのインターリーブラインには、Ｍ本のラインのうち一部ラインのピクセルが交互に保存される。デコーダは、インターリーブラインを受信して前記画面をデコーディングする。
【０００８】
前記それぞれのインターリーブラインには、前記一部ラインのピクセルがピクセル単位で交互に保存されることが望ましい。
【０００９】
前記メモリは、１本のインターリーブラインを一つのバンクに保存することが出来る。
【００１０】
前記メモリは、２本のラインを１本のインターリーブラインに保存し、前記１本のインターリーブラインには、前記２本のラインのピクセルが交互に保存される。
【００１１】
前記画面は、基準画面とすることが出来る。
【００１２】
前記メモリは、ＤＲＡＭ（Ｄｙｎａｍｉｃ Ｒａｎｄｏｍ Ａｃｃｅｓｓ Ｍｅｍｏｒｙ）とすることができる。
【００１３】
前記課題を達成するための本発明によるビデオデコーディング方法は、メモリを含むビデオデコーディングシステムで画面をデコーディングする。本発明によるビデオデコーディング方法は、前記画面のＭ（Ｍは、自然数）本のラインをＮ（Ｎは、Ｍより小さい自然数）本のインターリーブラインに保存するステップ、及び前記インターリーブラインを受信して前記画面をデコーディングするステップを含み、前記それぞれのインターリーブラインには、前記Ｍ本のラインのうち一部ラインのピクセルが交互に保存される。
【００１４】
前記それぞれのインターリーブラインには、前記一部ラインのピクセルがピクセル単位で交互に保存されることが望ましい。
【００１５】
前記インターリーブラインに保存するステップは、１本のインターリーブラインを前記メモリの一つのバンクに保存することが出来る。
【００１６】
前記インターリーブラインに保存するステップは、前記画面の２本のラインを１本のインターリーブラインに保存し、前記１本のインターリーブラインには、前記２本のラインのピクセルが交互に保存される。
【００１７】
前記他の課題を達成するための本発明による基準画面の保存方法は、基準画面のＭ（Ｍは、自然数）本のラインをＮ（Ｎは、Ｍより小さい自然数）個のグループに区分するステップ及び前記Ｎ個のグループに属するラインをＮ本のインターリーブラインに保存するステップを含む。前記それぞれのインターリーブラインには、前記Ｍ本のラインのうち一部ラインのピクセルが交互に保存される。
【００１８】
前記それぞれのインターリーブラインには、前記一部ラインのピクセルがピクセル単位で交互に保存されることが望ましい。
【００１９】
前記インターリーブラインに保存するステップは、前記基準画面の２本のラインを１本のインターリーブラインに保存し、前記１本のインターリーブラインには、前記２本のラインのピクセルが交互に保存される。
【発明の効果】
【００２０】
本発明によるビデオデコーディング装置、ビデオデコーディング方法及び基準画面の保存方法は、画面をデコーディングする速度を向上させることが出来る。また、デコーディング過程で、レイテンシを減らすことが出来、バンド幅を狭めることが出来る。
【発明を実施するための最良の形態】
【００２１】
本発明と本発明の動作上の利点及び本発明の実施によって達成される目的を十分に理解するためには、本発明の望ましい実施形態を例示する添付図面及び図面に記載された内容を参照しなければならない。
【００２２】
以下、添付した図面を参照して、本発明の望ましい実施形態を説明することによって、本発明を詳細に説明する。各図面に付された同一参照符号は、同一部材を表わす。
【００２３】
図１は、本発明によるビデオデコーディング装置２００を備えるビデオシステム１００を示す図である。
【００２４】
図１を参照すれば、ビデオシステム１００は、ビデオデコーディング装置２００、マスターユニット１６２,１６４、スレーブユニット１７２,１７４及びシステムバス１３０を備える。ビデオデコーディング装置２００、マスターユニット１６２,１６４及びスレーブユニット１７２,１７４は、システムバス１３０を介してデータを送受信する。
【００２５】
本発明によるビデオデコーディング装置２００は、メモリ３００及びデコーダ２５０を備える。メモリ３００は、画面ＲＥＦのＭ（Ｍは、自然数）本のラインをＮ（Ｎは、Ｍより小さい自然数）本のインターリーブラインＬＩＮＥＳ＿ＩＮＴに保存する。それぞれのインターリーブラインには、Ｍ本のラインのうち一部ラインのピクセルデータが交互に保存される。デコーダ２５０は、インターリーブラインＬＩＮＥＳ＿ＩＮＴを受信して画面をデコーディングする。
【００２６】
それぞれのインターリーブラインには、一部ラインのピクセルデータがピクセル単位で交互に保存されることが望ましい。
【００２７】
本発明によるビデオデコーディング装置２００が備えるメモリ３００は、ＤＲＡＭであってもよい。
【００２８】
図２は、複数のラインＬＩＮＥ１〜ＬＩＮＥ７を有する基準画面ＲＥＦを示す図である。
【００２９】
図２には、基準画面ＲＥＦの７本のラインＬＩＮＥ１〜ＬＩＮＥ７のみが表示され、それぞれのラインＬＩＮＥ１〜ＬＩＮＥ７の１６バイトのピクセルのみが表示されている。しかし、基準画面ＲＥＦが含むラインの数とそれぞれのラインが含むピクセルのバイト数とは、それに限定されない。
【００３０】
図２には、基準画面ＲＥＦが読み出される単位の読み出しブロックＢＬＫの一つの例が示されている。すなわち、図２の読み出しブロックＢＬＫは、４×４形態である。図２の読み出しブロックＢＬＫは、４本のラインＬＩＮＥ２〜ＬＩＮＥ５を含み、１６バイトのピクセルを含む。
【００３１】
図３は、本発明によるビデオデコーディング装置２００のメモリ３００に図２の基準画面ＲＥＦのラインＬＩＮＥ１〜ＬＩＮＥ７がピクセル単位で交互に保存されることを示す図である。
【００３２】
以下、図１ないし図３を参照して、本発明によるビデオデコーディング装置が基準画面を保存する過程とデコーディングする過程とを説明する。
【００３３】
本発明によるビデオデコーディング装置２００は、画面のＭ（Ｍは、自然数）本のラインをＮ（Ｎは、Ｍより小さい自然数）本のインターリーブラインに保存する。それぞれのインターリーブラインには、Ｍ本のラインのうち一部ラインのピクセルデータがピクセル単位で交互に保存される。例えば、本発明によるビデオデコーディング装置２００は、図２の基準画面のラインＬＩＮＥ１〜ＬＩＮＥ７を４本のインターリーブラインに区分して保存する。
【００３４】
メモリ３００は、１本のインターリーブラインを一つのバンクに保存する。例えば、メモリ３００は、バンクＢＡＮＫ１にラインＬＩＮＥ１,ＬＩＮＥ２のピクセルデータが交互に保存されたインターリーブラインを保存する。また、メモリ３００は、バンクＢＡＮＫ２にラインＬＩＮＥ３,ＬＩＮＥ４のピクセルデータが交互に保存されたインターリーブラインを保存する。
【００３５】
図２及び図３を参照すれば、本発明によるビデオデコーディング装置２００で、図２の基準画面ブロックＢＬＫは、図３のインターリーブブロックＢＬＫ＿ＩＮＴの形態でメモリ３００に保存される。図２の基準画面ブロックＢＬＫが有するピクセルのデータと図３のインターリーブブロックＢＬＫ＿ＩＮＴが有するピクセルのデータとは、相互に同一である。
【００３６】
一般的なビデオ装置は、図２の基準画面ブロックＢＬＫのピクセルデータを利用しなければならない場合に、４本のラインを読み出す必要がある。一方、本発明によるビデオデコーディング装置２００のデコーダ２５０は、図３のインターリーブブロックＢＬＫ＿ＩＮＴのピクセルデータを利用しなければならない場合に、３本のラインのみを読み出せばよい。したがって、本発明によるビデオデコーディング装置２００は、画面をデコーディングする速度を向上させることが出来る。また、デコーディング過程でレイテンシを減らせ、バンド幅を減らせる。
【００３７】
特に、図２の基準画面ブロックＢＬＫと図３のインターリーブブロックＢＬＫ＿ＩＮＴとがメモリ３００のデータ読み出し単位で整列されていない場合に、本発明によるビデオデコーディング装置２００は、一般的なビデオ装置に比べてさらに速いデコーディング速度を有する。
【００３８】
例えば、図２の基準画面ブロックＢＬＫと図３のインターリーブブロックＢＬＫ＿ＩＮＴとは、それぞれ８バイトに整列されていないブロックである。したがって、一般的なビデオ装置は、図２の基準画面ブロックＢＬＫのピクセルデータを利用しなければならない場合に、メモリから６４バイト（１６バイト×４ライン）のピクセルデータを読み出す必要がある。一方、本発明によるビデオ装置２００は、図３のインターリーブブロックＢＬＫ＿ＩＮＴのピクセルデータを利用しなければならない場合に、メモリ３００から４８バイト（１６バイト×３ライン）のピクセルデータを読み出す必要がある。すなわち、本発明によるビデオ装置１００は、一般的なビデオ装置に比べて、さらに少ない数のピクセルデータを読み出すことになる。
【００３９】
本発明によるビデオデコーディング方法は、メモリを含むビデオデコーディングシステムで画面をデコーディングする。本発明によるビデオデコーディング方法は、画面のＭ（Ｍは、自然数）本のラインをＮ（Ｎは、Ｍより小さい自然数）本のインターリーブラインに保存するステップ及びインターリーブラインを受信して画面をデコーディングするステップを含み、それぞれのインターリーブラインには、Ｍ本のラインのうち一部ラインのピクセルデータが交互に保存される。
【００４０】
それぞれのインターリーブラインには、一部ラインのピクセルデータがピクセル単位で交互に保存されることが望ましい。
【００４１】
インターリーブラインに保存するステップは、１本のインターリーブラインをメモリの一つのバンクに保存することが出来る。
【００４２】
インターリーブラインに保存するステップは、画面の２本のラインを１本のインターリーブラインに保存し、１本のインターリーブラインには、２本のラインのピクセルデータが交互に保存される。
【００４３】
本発明による基準画面の保存方法は、基準画面のＭ（Ｍは、自然数）本のラインをＮ（Ｎは、Ｍより小さい自然数）個のグループに区分するステップ及びＮ個のグループに属するラインをＮ本のインターリーブラインに保存するステップを含む。それぞれのインターリーブラインには、Ｍ本のラインのうち一部ラインのピクセルデータが交互に保存される。
【００４４】
それぞれのインターリーブラインには、一部ラインのピクセルデータがピクセル単位で交互に保存されることが望ましい。
【００４５】
インターリーブラインに保存するステップは、基準画面の２本のラインを１本のインターリーブラインに保存し、１本のインターリーブラインには、２本のラインのピクセルデータが交互に保存される。
【００４６】
本発明によるビデオデコーディング方法及び基準画面の保存方法は、前述したビデオデコーディング装置と技術的思想が同じであり、ビデオデコーディング装置の動作に対応する。したがって、当業者ならば、前記説明から本発明によるビデオデコーディング方法及び基準画面の保存方法について理解できるので、それについての詳細説明は省略する。
【００４７】
以上のように、図面及び明細書で最適の実施形態が開示された。ここで、特定の用語が使われたが、これは、単に本発明を説明するための目的で使われたものであり、意味限定や特許請求の範囲に記載された本発明の範囲を制限するために使われたものではない。したがって、当業者ならば、これから多様な変形及び均等な他の実施形態が可能であるという点が理解できるであろう。したがって、本発明の真の技術的保護範囲は、特許請求の範囲の技術的思想によって決定されなければならない。
【産業上の利用可能性】
【００４８】
本発明は、ビデオデコーディング関連の技術分野に適用可能である。
【図面の簡単な説明】
【００４９】
【図１】本発明によるビデオデコーディング装置を備えるビデオシステムを示す図である。
【図２】複数のラインを有する基準画面を示す図である。
【図３】本発明によるビデオデコーディング装置のメモリに図２の基準画面のラインがピクセル単位で交互に保存されることを示す図である。
【符号の説明】
【００５０】
１００    ビデオシステム
１３０    システムバス
１６２,１６４    マスターユニット
１７２,１７４    スレーブユニット
２００    ビデオデコーディング装置
２５０    デコーダ
３００    メモリ
【図１】
2007189687.tif 000003
【図２】
2007189687.tif 000004
【図３】
2007189687.tif 000005